(57)【要約】【課題】立体感があって斬新な見栄えのする表示板を備えた計器装置を提供する。【解決手段】盤面部２０に対し傾斜された傾斜部２１を有し、この傾斜部２１に目盛表示部８Ａ（意匠部）が設けられた表示板９と、傾斜部２１の周縁側に対応した表示板９上に配設された反射壁２５を有する見返し部材１１（装飾部材）とを備え、目盛表示部８Ａは、その一部分が反射壁２５に重なるように設けられ、反射壁２５が金属調の光沢を有している。【選択図】図３
2009264925.tif 000002
【特許請求の範囲】
【請求項１】
盤面部に対し傾斜された傾斜部を有し、この傾斜部に意匠部が設けられた表示板と、前記傾斜部の周縁側に対応した前記表示板上に配設された反射壁を有する装飾部材とを備え、前記意匠部はその一部分が前記反射壁に重なるように設けられ、前記反射壁が金属調の光沢を有していることを特徴とする計器装置。
【請求項２】
前記意匠部は透過性を有し、前記表示板の背後に配設された光源からの光によって透過照明されてなることを特徴とする請求項１に記載の計器装置。
【請求項３】
前記傾斜部が前記盤面部の前面側に傾斜していることを特徴とする請求項１または請求項２に記載の計器装置。
【請求項４】
前記傾斜部が前記盤面部の背面側に傾斜していることを特徴とする請求項１から請求項３の何れかに記載の計器装置。
【発明の詳細な説明】
【技術分野】
【０００１】
本発明は、例えば車両用の計器装置に関し、特に計器の表示領域周囲に装飾部材を配設した計器装置に関するものである。
【背景技術】
【０００２】
例えば車両用の計器装置に於いて、計器の表示領域周囲に装飾部材を配設したものが例えば下記特許文献１に記載されている。特許文献１に記載の計器装置には、表示部７が設けられた表示板８の周縁前方側に表示板８の可視領域を定める開口部１１を設けた覆い部１２を有する見返し部材１５が配置され、この覆い部１２の表面側には、シルバーメタリック調のリング部材３５が固着してある。
【０００３】
この様に、表示板８の表示領域周囲に装飾部材としてのリング部材３５を配設することによって、計器装置の商品性，デザイン性を向上させることが可能となるというものである。
【特許文献１】特開２００６−１２６０４３号公報
【発明の開示】
【発明が解決しようとする課題】
【０００４】
しかしながら、特許文献１の計器装置に於いては、表示板８の周縁前方側にリング部材３５を配設することで計器装置に奥行き感がでるものの、表示板８には立体感が乏しかった。
【０００５】
本発明はこの様な点に鑑みなされたもので、立体感があって斬新な見栄えのする表示板を備えた計器装置を提供することを目的とする。
【課題を解決するための手段】
【０００６】
本発明は前記目的を達成するため、盤面部に対し傾斜された傾斜部を有し、この傾斜部に意匠部が設けられた表示板と、前記傾斜部の周縁側に対応した前記表示板上に配設された反射壁を有する装飾部材とを備え、前記意匠部はその一部分が前記反射壁に重なるように設けられ、前記反射壁が金属調の光沢を有しているものである。
【０００７】
また、前記意匠部は透過性を有し、前記表示板の背後に配設された光源からの光によって透過照明されてなるものである。
【０００８】
また、前記傾斜部が前記盤面部の前面側に傾斜しているものである。
【０００９】
また、前記傾斜部が前記盤面部の背面側に傾斜しているものである。
【発明の効果】
【００１０】
立体感があって斬新な見栄えのする表示板を備えた計器装置を得ることができる。
【発明を実施するための最良の形態】
【００１１】
本発明を、例えば車両に備えられる計器装置を実施形態として説明する。図１は、本発明の第１実施形態を示す計器装置の正面図であり、図２は同計器装置の部分断面図（図１に於けるＡ−Ａ断面）である。図３は、同計器装置に用いられる表示板と装飾部材との位置関係を示す要部断面図であり、図４は表示板の意匠部を目視した際の視認状態を示す部分斜視図である。
【００１２】
計器装置は、計器としての例えば速度計１とエンジン回転計２を備えている。計器は、硬質な回路基板３と、この回路基板３の裏面側に回路基板３と導通状態で装着され、回路基板３を貫通して前方に延びる回動軸４を有する計器本体５と、回動軸４に固着され指示部６を有する指針７と、この指針７の背後に配置され指示部６の指示対象となる車両の速度やエンジン回転数を現す目盛，数字などの表示部８が設けられた表示板９と、表示板９と回路基板３との間に配置され表示板９が支持されるケース１０を備えている。
【００１３】
また、表示板９の表面側に配置され計器装置を装飾すると共に、表示板９の可視領域を定める装飾部材としての見返し部材１１と、表示板９や見返し部材１１の前方側を被う無色透明な合成樹脂からなる透視板１２と、回路基板３の裏面側を被う合成樹脂製のカバー１３と、回路基板３上に実装され表示板９や指針７を背後から照明する光源としての発光ダイオード１４，１４Ａなどを備えており、夜間など周囲が暗い時に各発光ダイオード１４，１４Ａを点灯させることで表示板９の表示部８および指針７の指示部６がそれぞれ照明されるようになっている。１５は、車両側に備えられている例えば黒色の合成樹脂からなるライトカバーであり、このライトカバー１５内に計器装置が組み付けられるようになる。
【００１４】
表示板９は、無色透明な合成樹脂からなる基板１６の表面側に速度およびエンジン回転数を現す表示部８（目盛表示部８Ａ，数字表示部８Ｂ，文字表示部８Ｃ）となる例えば白色の透過性表示層１７を印刷形成する。その後、表示部８を除いて地部１８となる例えば黒色で遮光性を有する地色層１９を印刷形成したものである（図１に於いては、表示部８を黒色で、地部１８を無色で示す）。
【００１５】
この表示板９は、立体形状としてある。即ち、数字表示部８Ｂおよび文字表示部８Ｃが設けられている盤面部２０と、盤面部２０の周縁側に円弧状に形成され目盛表示部８Ａが設けられている傾斜部２１と、傾斜部２１の周縁側の周縁部２２とからなり、傾斜部２１は盤面部２０の前面側（観者側）に傾斜している。なお、本実施形態に於いては、目盛表示部８Ａが本発明に於ける意匠部である。また、表示板９は速度計１用とエンジン回転計２用とが一体となったものであるが、別体であっても良い。
【００１６】
見返し部材１１は、例えばＡＢＳ樹脂からなり、表面にスパッタリング，蒸着，メッキなどによってクロムやアルミニウムなどの金属調で光沢を有する薄膜を形成したものである。金属調の薄膜を形成することにより、計器装置に商品性，デザイン性を持たせることができる。見返し部材１１は、表示板９の周縁部２２上に載置される座部２３と、座部２３から前方側（観者側）に突出するリング状の凸部２４と、凸部２４の内側（指針７中心側）に設けられた反射壁２５と傾斜壁２６を有しており、図３に示す様に、目盛表示部８Ａの一部が反射壁２５に重なるようになっている。なお、反射壁２５は表示板９の盤面部２０に対して略垂直で鏡面状態となっている。そして、反射壁２５の内側が表示板９の可視領域（速度計１とエンジン回転計２）となるものである。
【００１７】
ケース１０は、遮光性のある例えば白色の合成樹脂からなり、回動軸４の周囲に配置された指針７用の発光ダイオード１４Ａを囲むように表示板９と回路基板３との間に配置された筒部２７と、表示板９用の発光ダイオード１４を取り巻くように傾斜して形成された壁部２８と、表示板９が支持される前面部２９や外周壁３０などを有している。
【００１８】
次に、この様に構成された計器装置を観者が斜め方向から目視した際の視認状態を図４に基づいて説明する。図４に於いて、Ｌ１は表示板９の盤面部２０と傾斜部２１との境界線である。Ｌ２は見返し部材１１に設けられた反射壁２５の表示板９側の下端縁であり、Ｌ３は見返し部材１１の反射壁２５と傾斜壁２６との境界線である。つまり、図４に於いてはＬ１とＬ２との間が表示板９の傾斜部２１であり、Ｌ２とＬ３との間が見返し部材１１の反射壁２５である。
【００１９】
ここで、表示板９の傾斜部２１に設けられた目盛表示部８Ａはそのまま（通常に）視認される。また、見返し部材１１の反射壁２５が金属調で光沢を有した鏡面状態となっているために、斜め方向から視認した際に目盛表示部８Ａが反射壁２５に反射像３１として映り、恰も目盛表示部８Ａが延長されたかの如く視認される。
【００２０】
その際、目盛表示部８Ａに反射壁２５が重なるようになっているために、傾斜部２１上の目盛表示部８Ａと反射壁２５に映った反射像３１が途切れることなく、繋がった状態で視認される。また、表示板９の傾斜部２１が盤面部２０の前面側（観者側）に傾斜しており、傾斜部２１と見返し部材１１の反射壁２５との成す角度が９０度以上（本実施形態に於いては略１３０度）となっていることで、Ｌ２を頂点として反射像３１が屈曲された状態で視認される（所謂、山折り状態となった反射像３１と目盛表示部８Ａとが視認される）。
【００２１】
また、夜間など周囲が暗い時に、例えば白色で発光する表示板９用の発光ダイオード１４が点灯すると、表示板９の表示部８が白色で透過照明されるが、目盛表示部８Ａを透過した光が反射壁２５に反射像３１として映り、昼間時と同様に、Ｌ２を頂点として反射像３１が屈曲された状態で視認される。
【００２２】
この様に、盤面部２０に対し傾斜された傾斜部２１を有し、この傾斜部２１に目盛表示部８Ａ（意匠部）が設けられた表示板９と、傾斜部２１の周縁側に対応した表示板９上に配設された反射壁２５を有する見返し部材１１とを備え、目盛表示部８Ａはその一部分が反射壁２５に重なるように設けられ、反射壁２５が金属調の光沢を有していることにより、反射壁２５に目盛表示部８Ａの反射像３１が目盛表示部８Ａと繋がった状態で映り、恰も目盛表示部８Ａが延長されたかの如く視認される。しかも、反射像３１が屈曲された状態で視認されるため、表示板９自体の立体形状に加えて目盛表示部８Ａに立体感を与えることとなり、立体感があって斬新な見栄えのする表示板を備えた計器装置を提供することが可能となる。
【００２３】
また、目盛表示部８Ａは透過性を有し、表示板９の背後に配設された発光ダイオード１４からの光によって透過照明されるようになっているため、夜間など周囲が暗い時であっても表示板９を照明する発光ダイオード１４を点灯させることで屈曲された反射像３１と目盛表示部８Ａとが視認可能であり、立体感があって斬新な見栄えのする表示板となる。
【００２４】
また、表示板９の傾斜部２１を盤面部２０の前面側に傾斜させるで、傾斜部２１の周縁側が山折り状態に屈曲された立体感のある表示板９として視認され、立体感があって斬新な見栄えのする表示板を備えた計器装置となる。
【００２５】
図５および図６に本発明の第２実施形態を示す。本実施形態は、前記第１実施形態とは主に表示板に形成された傾斜部の傾斜方向が異なるのみで、基本的な構成は同じため、同一または相当箇所には同一符号を付し、その詳細説明は省略する。
【００２６】
表示板９は、前記第１実施形態と同様に、表面側に速度およびエンジン回転数を現す表示部８（目盛表示部８Ａ，数字表示部８Ｂ，文字表示部８Ｃ）が設けられたものである（図１参照）。この表示板９は、立体形状としてある。即ち、数字表示部８Ｂおよび文字表示部８Ｃが設けられている盤面部２０と、盤面部２０の周縁側に円弧状に形成され目盛表示部８Ａが設けられている傾斜部２１と、傾斜部２１の周縁側の周縁部２２とからなり、傾斜部２１は盤面部２０の背面側（回路基板３側）に傾斜している。
【００２７】
見返し部材１１は、前記第１実施形態と同様に、表面に金属調で光沢を有する薄膜が形成してあり、表示板９の周縁部２２上に載置される座部２３と、座部２３から前方側（観者側）に突出するリング状の凸部２４と、凸部２４の内側（指針７中心側）に設けられた反射壁２５と傾斜壁２６を有している。また、反射壁２５は表示板９の盤面部２０に対して略垂直で鏡面状態となっており、目盛表示部８Ａの一部が反射壁２５に重なるようになっている。
【００２８】
次に、この様に構成された計器装置を観者が斜め方向から目視した際の視認状態を図６に基づいて説明する。図６に於いて、Ｌ１は表示板９の盤面部２０と傾斜部２１との境界線である。Ｌ２は見返し部材１１に設けられた反射壁２５の表示板９側の下端縁であり、Ｌ３は見返し部材１１の反射壁２５と傾斜壁２６との境界線である。つまり、図６に於いてはＬ１とＬ２との間が表示板９の傾斜部２１であり、Ｌ２とＬ３との間が見返し部材１１の反射壁２５である。
【００２９】
ここで、表示板９の傾斜部２１に設けられた目盛表示部８Ａはそのまま（通常に）視認される。また、見返し部材１１の反射壁２５が金属調で光沢を有した鏡面状態となっているために、斜め方向から視認した際に目盛表示部８Ａが反射壁２５に反射像３１として映り、恰も目盛表示部８Ａが延長されたかの如く視認される。
【００３０】
その際、目盛表示部８Ａに反射壁２５が重なるようになっているために、傾斜部２１上の目盛表示部８Ａと反射壁２５に映った反射像３１が途切れることなく、繋がった状態で視認される。また、表示板９の傾斜部２１が盤面部２０の背面側（回路基板３側）に傾斜しており、傾斜部２１と見返し部材１１の反射壁２５との成す角度が９０度未満（本実施形態に於いては略５０度）となっていることで、Ｌ２を低点として反射像３１が屈曲された状態で視認される（所謂、谷折り状態となった反射像３１と目盛表示部８Ａとが視認される）。
【００３１】
また、夜間など周囲が暗い時に、例えば白色で発光する表示板９用の発光ダイオード１４が点灯すると、表示板９の表示部８が白色で透過照明されるが、目盛表示部８Ａを透過した光が反射壁２５に反射像３１として映り、昼間時と同様に、Ｌ２を低点として反射像３１が屈曲された状態で視認される。
【００３２】
この様に構成したことにより、前記第１実施形態と同様に、反射壁２５に目盛表示部８Ａの反射像３１が目盛表示部８Ａと繋がった状態で映り、恰も目盛表示部８Ａが延長されたかの如く視認される。しかも、反射像３１が屈曲された状態で視認されるため、表示板９自体の立体形状に加えて目盛表示部８Ａに立体感を与えることとなり、立体感があって斬新な見栄えのする表示板を備えた計器装置を提供することが可能となる。
【００３３】
また、目盛表示部８Ａは透過性を有し、表示板９の背後に配設された発光ダイオード１４からの光によって透過照明されるようになっているため、夜間など周囲が暗い時であっても表示板９を照明する発光ダイオード１４を点灯させることで屈曲された反射像３１と目盛表示部８Ａとが視認可能であり、立体感があって斬新な見栄えのする表示板となる。
【００３４】
また、表示板９の傾斜部２１を盤面部２０の背面側に傾斜させるで、傾斜部２１の周縁側が谷折り状態に屈曲された立体感のある表示板９として視認され、立体感があって斬新な見栄えのする表示板を備えた計器装置となる。
【００３５】
なお、本発明は前記各実施形態に限定されるものではなく、例えば見返し部材１１に反射壁２５と傾斜壁２６とを設けたが、傾斜壁２６を設けず反射壁２５だけでも良い。また、反射壁２５を表示板９の盤面部２０に対して略垂直としたが、垂直に限定するものではない。
【００３６】
また、見返し部材１１を装飾部材としたが、見返し部材１１とは別体の装飾部材を見返し部材の内側に配設するように構成し、この装飾部材に反射壁を形成するようにしても良い。
【図面の簡単な説明】
【００３７】
【図１】本発明の第１実施形態を示す計器装置の正面図。
【図２】同計器装置の部分断面図（図１に示すＡ−Ａ断面）。
【図３】同計器装置に用いられる表示板と装飾部材との位置関係を示す要部断面図。
【図４】表示板の意匠部を目視した際の視認状態を示す部分斜視図。
【図５】本発明の第２実施形態を示す計器装置の部分断面図。
【図６】同計器装置に用いられる表示板の意匠部を目視した際の視認状態を示す部分斜視図。
【符号の説明】
【００３８】
８  表示部
８Ａ  目盛表示部（意匠部）
８Ｂ  数字表示部
９  表示板
１１  見返し部材（装飾部材）
１４  発光ダイオード（光源）
２０  盤面部
２１  傾斜部
２２  周縁部
２５  反射壁
２６  傾斜壁
３１  反射像
【図１】
2009264925.tif 000003
【図２】
2009264925.tif 000004
【図３】
2009264925.tif 000005
【図４】
2009264925.tif 000006
【図５】
2009264925.tif 000007
【図６】
2009264925.tif 000008